【手続補正書】
【提出日】平成22年8月6日(2010.8.6)
【手続補正１】
【補正対象書類名】特許請求の範囲
【補正対象項目名】全文
【補正方法】変更
【補正の内容】
【特許請求の範囲】
【請求項１】
遊技球が流下可能な遊技盤と、該遊技盤に設けられる作動口と、該作動口に前記遊技球が入球することに基づいて複数の識別情報の変動表示を実行する表示部と、該表示部の周囲に設けられる枠部と、前記表示部とは異なる位置であり少なくとも前記枠部に設けられる発光手段と、前記変動表示の停止時に前記表示部で所定の識別情報を表示する手段と、を備えた遊技機であって、
該遊技機は、
前記作動口に前記遊技球が入球することに基づいて当否判定を実行する当否判定手段と、
該当否判定手段の判定に基づいて、前記変動表示の変動種別を設定する変動種別設定手段と、
該変動種別設定手段で設定された変動種別に対応した変動表示を前記表示部で実行する手段と、前記変動種別に対応した変動表示中に前記発光手段で発光演出を実行する手段と、を備えた演出制御手段と、を備え、
前記変動種別設定手段は、
前記当否判定手段の判定が当たり判定である場合に、前記複数の識別情報が当たり組合せで停止表示される変動種別を設定する手段と、
前記当否判定手段の判定がハズレ判定である場合に、前記複数の識別情報がハズレ組合せで停止表示される変動種別を設定する手段と、を備え、
前記演出制御手段は、
前記変動種別設定手段によって所定の変動種別が設定された場合に、該所定の変動種別に対応する所定の変動表示を前記表示部で開始する手段と、
前記所定の変動表示の開始後に前記複数の識別情報をハズレ組合せで一旦停止表示する手段と、
前記複数の識別情報をハズレ組合せで一旦停止表示した後の所定のタイミングにおいて、前記表示部で特定の画像を表示する手段と、
前記所定のタイミングにおいて、前記発光手段で特定の発光態様を行う手段と、を備え、
前記所定のタイミングにおいて、前記表示部で表示される前記特定の画像と、前記発光手段で行われる前記特定の発光態様と、を用いて前記所定の識別情報とは別の所定の表示対象を表示し、前記表示部と前記発光手段とを用いて一体的な演出を行い、
該一体的な演出を行った場合に、一旦停止表示された前記ハズレ組合せとは異なる組合せで前記複数の識別情報を停止表示させるものであることを特徴とする遊技機。
【請求項２】
遊技球が流下可能な遊技盤と、該遊技盤に設けられる作動口と、該作動口に前記遊技球が入球することに基づいて複数の識別情報の変動表示を実行する表示部と、該表示部の周囲に設けられる複数の発光手段と、前記変動表示の停止時に前記表示部で所定の識別情報を表示する手段と、を備えた遊技機であって、
該遊技機は、
前記作動口に前記遊技球が入球することに基づいて当否判定を実行する当否判定手段と、
該当否判定手段の判定に基づいて、前記変動表示の変動種別を設定する変動種別設定手段と、
該変動種別設定手段で設定された変動種別に対応した変動表示を前記表示部で実行する手段と、前記変動種別に対応した変動表示中に前記発光手段で発光演出を実行する手段と、を備えた演出制御手段と、を備え、
前記変動種別設定手段は、
前記当否判定手段の判定が当たり判定である場合に、前記複数の識別情報が当たり組合せで停止表示される変動種別を設定する手段と、
前記当否判定手段の判定がハズレ判定である場合に、前記複数の識別情報がハズレ組合せで停止表示される変動種別を設定する手段と、を備え、
前記演出制御手段は、
前記変動種別設定手段によって所定の変動種別が設定された場合に、該所定の変動種別に対応する所定の変動表示を前記表示部で開始する手段と、
前記所定の変動表示の開始後に前記複数の識別情報をハズレ組合せで一旦停止表示する手段と、
前記複数の識別情報をハズレ組合せで一旦停止表示した後の所定のタイミングにおいて、前記表示部で特定の画像を表示する手段と、
前記所定のタイミングにおいて、前記複数の発光手段のうち少なくとも一部の発光手段で特定の発光態様を行う手段と、を備え、
前記所定のタイミングにおいて、前記表示部で表示される前記特定の画像と、前記複数の発光手段のうち少なくとも一部の発光手段で行われる前記特定の発光態様と、を用いて前記所定の識別情報とは別の所定の表示対象を表示し、前記表示部と前記発光手段とを用いて一体的な演出を行い、
該一体的な演出を行った場合に、一旦停止表示された前記ハズレ組合せとは異なる組合せで前記複数の識別情報を停止表示させるものであることを備えたことを特徴とする遊技機。
【請求項３】
前記変動種別は、前記識別情報の変動表示の態様と、変動が停止した場合に停止表示される識別情報の種類と、を含むことを特徴とする請求項１又は２に記載の遊技機。
【手続補正２】
【補正対象書類名】明細書
【補正対象項目名】０００６
【補正方法】変更
【補正の内容】
【０００６】
上記の目的を達成するべく、第１の発明においては、
遊技球が流下可能な遊技盤と、該遊技盤に設けられる作動口と、該作動口に前記遊技球が入球することに基づいて複数の識別情報の変動表示を実行する表示部と、該表示部の周囲に設けられる枠部と、前記表示部とは異なる位置であり少なくとも前記枠部に設けられる発光手段と、前記変動表示の停止時に前記表示部で所定の識別情報を表示する手段と、を備えた遊技機であって、
該遊技機は、
前記作動口に前記遊技球が入球することに基づいて当否判定を実行する当否判定手段と、
該当否判定手段の判定に基づいて、前記変動表示の変動種別を設定する変動種別設定手段と、
該変動種別設定手段で設定された変動種別に対応した変動表示を前記表示部で実行する手段と、前記変動種別に対応した変動表示中に前記発光手段で発光演出を実行する手段と、を備えた演出制御手段と、を備え、
前記変動種別設定手段は、
前記当否判定手段の判定が当たり判定である場合に、前記複数の識別情報が当たり組合せで停止表示される変動種別を設定する手段と、
前記当否判定手段の判定がハズレ判定である場合に、前記複数の識別情報がハズレ組合せで停止表示される変動種別を設定する手段と、を備え、
前記演出制御手段は、
前記変動種別設定手段によって所定の変動種別が設定された場合に、該所定の変動種別に対応する所定の変動表示を前記表示部で開始する手段と、
前記所定の変動表示の開始後に前記複数の識別情報をハズレ組合せで一旦停止表示する手段と、
前記複数の識別情報をハズレ組合せで一旦停止表示した後の所定のタイミングにおいて、前記表示部で特定の画像を表示する手段と、
前記所定のタイミングにおいて、前記発光手段で特定の発光態様を行う手段と、を備え、
前記所定のタイミングにおいて、前記表示部で表示される前記特定の画像と、前記発光手段で行われる前記特定の発光態様と、を用いて前記所定の識別情報とは別の所定の表示対象を表示し、前記表示部と前記発光手段とを用いて一体的な演出を行い、
該一体的な演出を行った場合に、一旦停止表示された前記ハズレ組合せとは異なる組合せで前記複数の識別情報を停止表示させるものであることを特徴とする。
また、第２の発明においては、
遊技球が流下可能な遊技盤と、該遊技盤に設けられる作動口と、該作動口に前記遊技球が入球することに基づいて複数の識別情報の変動表示を実行する表示部と、該表示部の周囲に設けられる複数の発光手段と、前記変動表示の停止時に前記表示部で所定の識別情報を表示する手段と、を備えた遊技機であって、
該遊技機は、
前記作動口に前記遊技球が入球することに基づいて当否判定を実行する当否判定手段と、
該当否判定手段の判定に基づいて、前記変動表示の変動種別を設定する変動種別設定手段と、
該変動種別設定手段で設定された変動種別に対応した変動表示を前記表示部で実行する手段と、前記変動種別に対応した変動表示中に前記発光手段で発光演出を実行する手段と、を備えた演出制御手段と、を備え、
前記変動種別設定手段は、
前記当否判定手段の判定が当たり判定である場合に、前記複数の識別情報が当たり組合せで停止表示される変動種別を設定する手段と、
前記当否判定手段の判定がハズレ判定である場合に、前記複数の識別情報がハズレ組合せで停止表示される変動種別を設定する手段と、を備え、
前記演出制御手段は、
前記変動種別設定手段によって所定の変動種別が設定された場合に、該所定の変動種別に対応する所定の変動表示を前記表示部で開始する手段と、
前記所定の変動表示の開始後に前記複数の識別情報をハズレ組合せで一旦停止表示する手段と、
前記複数の識別情報をハズレ組合せで一旦停止表示した後の所定のタイミングにおいて、前記表示部で特定の画像を表示する手段と、
前記所定のタイミングにおいて、前記複数の発光手段のうち少なくとも一部の発光手段で特定の発光態様を行う手段と、を備え、
前記所定のタイミングにおいて、前記表示部で表示される前記特定の画像と、前記複数の発光手段のうち少なくとも一部の発光手段で行われる前記特定の発光態様と、を用いて前記所定の識別情報とは別の所定の表示対象を表示し、前記表示部と前記発光手段とを用いて一体的な演出を行い、
該一体的な演出を行った場合に、一旦停止表示された前記ハズレ組合せとは異なる組合せで前記複数の識別情報を停止表示させるものであることを備えたことを特徴とする。
また、前記変動種別は、前記識別情報の変動表示の態様と、変動が停止した場合に停止表示される識別情報の種類と、を含むこととしてもよい。